(57)【要約】【課題】  テレビジョン放送を受信可能なテレビジョン装置において、電子番組ガイド情報を用いて装置の使い勝手をよくする。【解決手段】  番組ガイド抽出部１７がインターネット等から電子番組ガイド情報を受信し、現在受信中の番組のガイド情報を現在番組ガイド情報として抽出する。現在番組ガイド情報に記述された終了時刻となると、番組情報解析部１９がその旨を出力制御部２１に出力する。出力制御部２１は携帯電話機１の操作モードをテレビ番組の受信モードから電話モードに切り替え、ＬＣＤ３１に待ち受け画面を表示する。【選択図】          図１
2005341088.tif 000002
【特許請求の範囲】
【請求項１】
通信を行う通信手段と、
テレビジョン放送を受信するテレビジョン放送受信手段と、
前記テレビジョン放送の表示を含む各種表示および音声出力を行う表示出力手段と、
各種操作モードを設定するモード設定手段と、
電子番組ガイド情報を受信し、受信中の番組の終了時刻を該電子番組ガイド情報から取得し、該終了時刻になったときに、前記操作モードを所定モードに切り替えるよう通信手段、前記テレビジョン放送受信手段、前記表示出力手段およびモード設定手段を制御する制御手段とを備えたことを特徴とするテレビジョン装置。
【請求項２】
前記所定モードが、電源をオンとした直後の初期画面を前記表示出力手段に表示する初期画面モードであることを特徴とする請求項１記載のテレビジョン装置。
【請求項３】
前記通信手段が携帯電話通信網と通信を行う手段であり、
前記所定モードが、携帯電話モードであることを特徴とする請求項１記載のテレビジョン装置。
【請求項４】
前記携帯電話モードが、前記表示出力手段に待ち受け画面を表示するモードであることを特徴とする請求項３記載のテレビジョン装置。
【請求項５】
前記制御手段は、前記終了時刻になったときに前記所定モードに切り替わるか否かの設定を受け付け、前記終了時刻になったときに前記所定モードに切り替わる設定がなされている場合にのみ、前記終了時刻になったときに前記操作モードを前記所定モードに切り替えるよう通信手段、前記テレビジョン放送受信手段、前記表示出力手段およびモード設定手段を制御する手段であることを特徴とする請求項１から４のいずれか１項記載のテレビジョン装置。
【請求項６】
通信を行う通信手段と、
テレビジョン放送を受信するテレビジョン放送受信手段と、
前記テレビジョン放送の表示を含む各種表示および音声出力を行う表示出力手段と、
各種操作モードを設定するモード設定手段とを備えたテレビジョン装置の制御方法において、
電子番組ガイド情報を受信し、
受信中の番組の終了時刻を該電子番組ガイド情報から取得し、
該終了時刻になったときに、前記操作モードを所定モードに切り替えることを特徴とするテレビジョン装置の制御方法。
【請求項７】
通信を行う通信手段と、
テレビジョン放送を受信するテレビジョン放送受信手段と、
前記テレビジョン放送の表示を含む各種表示および音声出力を行う表示出力手段と、
各種操作モードを設定するモード設定手段とを備えたテレビジョン装置の制御方法をコンピュータに実行させるためのプログラムにおいて、
電子番組ガイド情報を受信する手順と、
受信中の番組の終了時刻を該電子番組ガイド情報から取得する手順と、
該終了時刻になったときに、前記操作モードを所定モードに切り替える手順とを有することを特徴とするプログラム。
【発明の詳細な説明】
【技術分野】
【０００１】
本発明は、テレビジョン放送を受信可能なテレビジョン装置、テレビジョン装置の制御方法およびこの制御方法をコンピュータに実行させるためのプログラムに関するものである。
【背景技術】
【０００２】
衛星放送のみならず、地上波のテレビ番組の放送形態が従来のアナログ放送からデジタル放送に変更されつつある。このような地上波デジタル放送の普及を見込んで、地上波デジタル放送を受信可能な携帯電話機が提案されている（特許文献１参照）。このような携帯電話機は、液晶モニタに地上波デジタル放送を再生できるため、手軽にテレビを見ることが可能な装置としての利用が期待されている。また、テレビ番組を受信可能なデジタルカメラも提案されている。
【０００３】
一方、テレビジョン放送の多チャンネル化が進んでいることから、紙のような媒体で番組ガイド情報を提供しようとすると放送中のすべての番組についての情報を掲載することが困難となってくる。このため、テレビの番組ガイド情報を電子番組ガイド情報として提供することが考えられている。このようにテレビの番組ガイド情報を電子情報として提供することにより、電子番組ガイド情報をテレビに表示して、自分が見たい番組を選択することができる。また、チャンネルが多岐にわたることから、自身が見ることが可能なチャンネルの電子番組ガイド情報のみを受信する装置が提案されている（特許文献２参照）。このような装置によれば、自分が見ることが可能なチャンネルの電子番組ガイド情報のみが受信されるため、自分が見たい番組を容易に選択することができる。
【特許文献１】特開２００３−１５３１１１号公報
【特許文献２】特開２００１−７８１１０号公報
【発明の開示】
【発明が解決しようとする課題】
【０００４】
上述したようにテレビジョン放送を受信可能なテレビジョン装置において、電子番組ガイド情報を受信して自分が見たい番組を選択することが可能であるが、電子番組ガイド情報を用いてよりテレビジョン装置の使い勝手をよくすることが望まれる。
【０００５】
本発明は上記事情に鑑みなされたものであり、テレビジョン放送を受信可能なテレビジョン装置において、電子番組ガイド情報を用いて装置の使い勝手をよくすることを目的とする。
【課題を解決するための手段】
【０００６】
本発明によるテレビジョン装置は、通信を行う通信手段と、
テレビジョン放送を受信するテレビジョン放送受信手段と、
前記テレビジョン放送の表示を含む各種表示および音声出力を行う表示出力手段と、
各種操作モードを設定するモード設定手段と、
電子番組ガイド情報を受信し、受信中の番組の終了時刻を該電子番組ガイド情報から取得し、該終了時刻になったときに、前記操作モードを所定モードに切り替えるよう通信手段、前記テレビジョン放送受信手段、前記表示出力手段およびモード設定手段を制御する制御手段とを備えたことを特徴とするものである。
【０００７】
テレビジョン装置としては、地上波テレビジョン放送、衛星テレビジョン放送、ケーブルテレビジョン放送、インターネットを利用したテレビジョン放送およびデジタルテレビジョン放送等の各種テレビジョン放送を受信可能な装置であれば、家庭用のテレビジョン装置のみならず、携帯テレビやパソコンも含む。また、テレビジョン放送を受信可能であれば、上記特許文献１に記載されたような携帯電話機、ＰＤＡ、デジタルカメラ等もテレビジョン装置に含むものとする。
【０００８】
なお、本発明によるテレビジョン装置においては、前記所定モードを、電源をオンとした直後の初期画面を前記表示出力手段に表示する初期画面モードとしてもよい。
【０００９】
また、本発明によるテレビジョン装置においては、前記通信手段を携帯電話通信網と通信を行う手段とし、
前記所定モードを、携帯電話モードとしてもよい。
【００１０】
この場合、前記携帯電話モードを、前記表示出力手段に待ち受け画面を表示するモードとしてもよい。
【００１１】
また、本発明によるテレビジョン装置においては、前記制御手段を、前記終了時刻になったときに前記所定モードに切り替わるか否かの設定を受け付け、前記終了時刻になったときに前記所定モードに切り替わる設定がなされている場合にのみ、前記終了時刻になったときに前記操作モードを前記所定モードに切り替えるよう通信手段、前記テレビジョン放送受信手段、前記表示出力手段およびモード設定手段を制御する手段としてもよい。
【００１２】
本発明によるテレビジョン装置の制御方法は、通信を行う通信手段と、
テレビジョン放送を受信するテレビジョン放送受信手段と、
前記テレビジョン放送の表示を含む各種表示および音声出力を行う表示出力手段と、
各種操作モードを設定するモード設定手段とを備えたテレビジョン装置の制御方法において、
電子番組ガイド情報を受信し、
受信中の番組の終了時刻を該電子番組ガイド情報から取得し、
該終了時刻になったときに、前記操作モードを所定モードに切り替えることを特徴とするものである。
【００１３】
なお、本発明によるテレビジョン装置の制御方法をコンピュータに実行させるためのプログラムとして提供してもよい。
【発明の効果】
【００１４】
本発明によれば、電子番組ガイド情報が受信され、現在受信中の番組の終了時刻が電子番組ガイド情報から取得され、終了時刻になったときに、テレビジョン装置のモードが所定モードに切り替えられる。このため、番組の終了時に所定モードに切り替わる使い勝手のよいテレビジョン装置を提供できる。
【発明を実施するための最良の形態】
【００１５】
以下、図面を参照して本発明の実施形態について説明する。図１は本実施形態によるテレビジョン装置を適用した携帯電話機の構成を示す概略ブロック図である。図１に示すように、本実施形態による携帯電話機１は、地上波テレビジョン放送、衛星テレビジョン放送、ケーブルテレビジョン放送、インターネットを利用したテレビジョン放送およびデジタルテレビジョン放送等の各種テレビジョン放送を受信するとともに、携帯電話通信網に各種情報を送受信するアンテナ１１と、テレビジョン放送を受信するためのＴＶ受信回路１３と、携帯電話通信網を用いての通話および電子メールの送受信等、本実施形態による携帯電話機１を携帯電話として機能させるための処理を行う携帯電話処理部１５とを備える。
【００１６】
また、携帯電話機１は、衛生テレビジョン放送、ケーブルテレビジョン放送、インターネットおよび携帯電話回線等から送信された電子番組ガイド情報を受信し、受信した電子番組ガイド情報から、ユーザがチャンネル選択部２７を用いて選択した現在受信中の番組のチャンネル番号、放送年月日、番組放送開始時刻、番組放送終了時刻等の電子番組ガイド情報（以下現在番組ガイド情報とする）を抽出する番組ガイド抽出部１７と、番組ガイド抽出部１７が抽出した現在番組ガイド情報を、タイマー２９が出力する現在時刻情報を参照して解析し、現在受信中の番組の終了時刻となるとその旨を出力制御部２１へ出力する番組情報解析部１９とを備える。
【００１７】
図２は現在番組ガイド情報の例を示す図である。図２に示すように現在番組ガイド情報は、チャンネル名、放送年月日、番組放送開始時刻、番組放送終了時刻およびその番組のタイトルを含む。図２に示す例においては、チャンネルが４、放送年月日が２００４年３月２０日、番組放送開始時刻が１９：００、番組放送終了時刻が２０：００、タイトルがＡＢＣニュースワイドである旨の情報が含まれている。
【００１８】
また、携帯電話機１は、ＬＣＤ３１および音声出力部２３への各種情報の出力を制御するとともに、番組情報解析部１９からの入力に基づいて、現在受信中の番組の終了時刻になると、携帯電話機１の操作モードをテレビ受信モードから電話モードへ切り替えて、ＬＣＤ３１への表示画面をテレビ番組から携帯電話の待ち受け画面に切り替える出力制御部２１を備える。
【００１９】
次いで、本実施形態において行われる処理について説明する。図３は本実施形態において行われる処理を示すフローチャートである。なお、本実施形態においては、電子番組ガイド情報はインターネット経由で携帯電話機１にダウンロードするものとする。携帯電話機１のユーザが電子番組ガイド情報のダウンロードの指示を携帯電話機１に対して行うことにより処理が開始され、携帯電話機１は電子番組ガイド情報をダウンロードする（ステップＳＴ１）。ユーザが電子番組ガイド情報をＬＣＤ３１に表示してチャンネル選択部２７を用いて所望とする番組のチャンネルを選択すると（ステップＳＴ２）、携帯電話機１は選択されたチャンネルの放送を受信する（ステップＳＴ３）。
【００２０】
次いで、番組ガイド抽出部１７が現在選択している番組についての現在番組ガイド情報を抽出し（ステップＳＴ４）、番組情報解析部１９が、現在の時刻が現在受信中の番組の終了時刻となったか否かの監視を開始する（ステップＳＴ５）。
【００２１】
ステップＳＴ５が肯定されると、出力制御部２１が携帯電話機１の操作モードをテレビ番組を受信するテレビ受信モードから電話モードへ切り替え（ステップＳＴ６）、ＬＣＤ３１に待ち受け画面を表示し（ステップＳＴ７）、処理を終了する。
【００２２】
このように本実施形態においては、電子番組ガイド情報を受信し、現在受信中の番組の終了時刻が現在番組ガイド情報に記述された終了時刻になったときに、携帯電話機１の操作モードをテレビ受信モードから電話モードに切り替えるようにしたため、番組の終了時に通常使用する電話モードに切り替わる使い勝手のよい携帯電話機１を提供できる。
【００２３】
なお、上記実施形態においては、現在受信中のテレビ番組が終了すると、携帯電話機１の操作モードを電話モードに切り替えているが、電源を入れたときの初期画面をＬＣＤ３１に表示する初期画面モードに切り替えるようにしてもよい。
【００２４】
また、上記実施形態においては、現在受信中のテレビ番組が終了すると、携帯電話機１の操作モードを電話モードに切り替えるようにしているが、電話モードに切り替えるか否かをあらかじめ設定可能としておき、切り替える旨の設定がなされている場合にのみ、電話モードに切り替えるようにしてもよい。なお、切り替える旨の設定がなされていない場合には、現在受信中の番組が終了しても、引き続き同じチャンネルのテレビ番組が受信されることとなる。
【００２５】
また、上記実施形態においては、本発明によるテレビジョン装置を携帯電話機１に適用しているが、テレビ番組を受信するとともに電子番組ガイド情報を受信して、現在受信中のテレビ番組の終了時刻となったときに、所定のモードに切り替わることが可能な任意の装置に本発明を適用することができる。例えば、パソコン、テレビジョン放送を受信可能なＰＤＡ、デジタルカメラ、携帯テレビおよび家庭用のテレビジョン装置にも本発明を適用することができる。
【図面の簡単な説明】
【００２６】
【図１】本実施形態によるテレビジョン装置を適用した携帯電話機の構成を示す概略ブロック図
【図２】現在番組ガイド情報の例を示す図
【図３】本実施形態において行われる処理を示すフローチャート
【符号の説明】
【００２７】
１    携帯電話機
１３  ＴＶ受信回路
１５  携帯電話処理部
１７  番組ガイド抽出部
１９  番組情報解析部
２１  出力制御部
【図１】
2005341088.tif 000003
【図２】
2005341088.tif 000004
【図３】
2005341088.tif 000005